(57)【要約】【課題】部品を接地する必要がなく、急峻なカットオフ特性をもち、かつ広帯域にわたって大きなノイズ減衰効果が得られるノイズ除去方法およびノイズ除去回路を提供する。【解決手段】回路基板１上には大地に非接続の状態で還流用電極パターン７を形成し、信号配線２ごとに、その入力側と出力側とにそれぞれインダクタＬを接続するとともに、両インダクタＬの間にコンデンサＣの一方の電極を接続し、このコンデンサＣの他方の電極を還流用電極パターン７に共通に接続することにより、一つの信号配線２に流れるノイズをコンデンサＣおよび還流用電極パターン７を介して他の信号配線２に還流させてノイズを除去する。【選択図】図３
2006025144.tif 000002
【特許請求の範囲】
【請求項１】
回路基板上に形成された複数の信号配線を流れるノイズを除去するためのノイズ除去方法であって、
前記回路基板上に、大地に対して非接続の状態で還流用電極パターンを形成するとともに、
前記信号配線ごとに、その入力側と出力側とにそれぞれインダクタを接続し、
前記両インダクタの間にコンデンサの一方の電極を接続し、かつ、該コンデンサの他方の電極を前記還流用電極パターンに共通に接続することにより、
一つの信号配線に流れるノイズ電流を前記コンデンサおよび還流用電極パターンを介して他の信号配線に還流させてノイズを除去すること
を特徴とするノイズ除去方法。
【請求項２】
回路基板上に形成された複数の信号配線を流れるノイズを除去するためのノイズ除去回路であって、
前記回路基板に、大地に対して非接続の状態で還流用電極パターンが形成されており、
前記信号配線ごとに、その入力側と出力側とにそれぞれインダクタが接続されているとともに、
前記両インダクタの間にコンデンサの一方の電極が接続され、かつ、該コンデンサの他方の電極が前記還流用電極パターンに共通に接続されていること
を特徴とするノイズ除去回路。
【請求項３】
前記信号配線の入力側と出力側とに配設された前記インダクタと、前記コンデンサとが、誘電体内に一体的に配設されたＴ型ＬＣフィルタを構成していることを特徴とする請求項２記載のノイズ除去回路。
【請求項４】
前記Ｔ型ＬＣフィルタが、各信号配線間にわたって一体化されたアレイタイプのフィルタとして構成されていることを特徴とする請求項３記載のノイズ除去回路。
【請求項５】
前記インダクタが、前記各信号配線間にわたって一体化されたアレイタイプのチョークコイルとして構成され、前記コンデンサが、前記複数の信号配線間にわたって一体化されたアレイタイプのコンデンサとして構成されていることを特徴とする請求項２記載のノイズ除去回路。
【発明の詳細な説明】
【技術分野】
【０００１】
本発明は、ノイズ除去方法およびノイズ除去回路に関し、詳しくは、回路基板上に形成された複数の信号配線を流れるノイズを有効に除去するためのノイズ除去方法およびノイズ除去回路に関する。
【背景技術】
【０００２】
例えば、携帯電話における受信感度劣化を防止するためには、通常、ノイズを有効に除去することが必要になる。この場合、携帯電話の通信方式によって使用される周波数帯域が異なっており、どのような通信方式の携帯電話に対してもノイズを有効に除去するためには８００ＭＨｚ〜２ＧＨｚ程度の広い帯域にわたってノイズを除去することが必要となる。また、一つの携帯電話でも２つの通信帯域を使用するものがあり、その場合にも広い帯域にわたってノイズを有効に除去することが必要となる。
【０００３】
このようなノイズ除去のために使用されるフィルタ素子として、従来より２端子型のチョークコイルやフェライトビーズを利用したものが知られている。
【０００４】
図１０はチョークコイルの斜視図、図１１はこのチョークコイルを回路基板に形成されている各信号配線に実装した状態の平面図、図１２は図１１のＣ−Ｃ線に沿う断面図である。
【０００５】
チョークコイル１０は、例えば直方体の誘電体１０ａ内に螺旋状のコイル導体（図示せず）を配設するとともに、誘電体１０ａの左右端に信号入出力用の外部電極１０ｂ，１０ｃを配設することにより形成されている。一方、回路基板１上には信号配線２ごとに左右の電極パターン３ａ，３ｂが所定の間隔をおいて対向して形成されている。
そして、チョークコイル１０の各外部電極１０ｂ，１０ｃが、各信号配線２の左右の電極パターン３ａ，３ｂ間を跨ぐようにして配置接続されており、このような構成により、各信号配線２を流れるノイズ電流がチョークコイル１０によって除去される。
【０００６】
上述のように、図１０に示すようなチョークコイル１０をノイズフィルタとして使用する場合、図１１および図１２に示すように、チョークコイル１０を各信号配線２に挿入するだけでノイズを除去することができるため、ノイズ対策は容易である。
【０００７】
しかしながら、チョークコイル１０は、ノイズ除去できる帯域が比較的狭く、特定周波数のノイズしか有効に除去することができないという問題点があり、前述のような広い帯域でのノイズ除去を行うことは困難であるのが実情である。
【０００８】
また、フェライトビーズを用いる方法の場合、チョークコイルを用いる場合と同様にして、信号配線ごとにフェライトビーズを挿入することにより、各信号配線２を流れるノイズ電流が除去される。
【０００９】
上述のように、フェライトビーズを用いる方法の場合、チョークコイルの場合と同様に、フェライトビーズを各信号配線に単に挿入するだけでノイズを除去することができるためノイズ対策は容易であるが、フェライトビーズは、低周波域でもノイズを除去するため、必要な信号を減衰させるなど信号波形に及ぼす影響が大きく、また、高減衰が得られないためにノイズ除去効果が不十分になるという問題点がある。
【００１０】
また、上述のようなノイズ除去を目的とするフィルタ素子として、３端子型のＬＣフィルタを用いることが知られている（例えば、特許文献１参照）。
図１３はＬＣフィルタの斜視図、図１４はこのＬＣフィルタの等価回路図であり、ここではＴ型のＬＣフィルタを示している。図１５はこのＬＣフィルタを回路基板に形成されている各信号配線に実装した状態の平面図、図１６は図１５のＤ−Ｄ線に沿う断面図である。
【００１１】
このＴ型のＬＣフィルタ２０は、誘電体２０ａ内に一対のインダクタＬおよびコンデンサＣを配設するとともに、誘電体２０ａの左右両端に信号入出力用の外部電極２０ｂ，２０ｃを配設し、誘電体２０ａの中央両側面に接地用の外部電極２０ｄを配設することにより形成されている。
【００１２】
一方、回路基板１上には、信号配線２ごとに、左右の電極パターン３ａ，３ｂが所定の間隔を存して対向して形成されているとともに、これらの電極パターン３ａ，３ｂの間には、電極パターン３ａ，３ｂと直交するように接地用電極パターン５ａが形成されている（図１６）。さらに、各接地用電極パターン５ａは、スルーホール６を介して、回路基板１の内部に形成された広面積の接地用電極パターン５ｂと電気的に接続されている。
【００１３】
そして、上記のＬＣフィルタ２０においては、信号入出力用の外部電極２０ｂ，２０ｃが、回路基板１の各信号配線２の左右の電極パターン３ａ，３ｂ間を跨ぐように配置接続され、また、接地用の外部電極２０ｄが接地用電極パターン５ａに接続されている。これにより、各信号配線２に流れるノイズ電流は、ＬＣフィルタ２０を通り、その接地用の外部電極２０ｄから回路基板１上の接地用電極パターン５ａに流れ、さらにスルーホール６を介して回路基板１の内部の接地用電極パターン５ｂに流れて除去されることになる。
なお、ここではＬＣフィルタ２０としてＴ型のものを示したが、その他、π型やＬ型のものが使用される場合もある。
【００１４】
ところで、図１３および図１４に示したようなＬＣフィルタ２０を使用する場合には、インダクタンスとキャパシタンスとを適宜設定することにより広帯域のノイズ除去特性が得られるという利点がある。
しかしながら、ＬＣフィルタ２０は、外部電極２０ｄを接地する必要があるため、ＬＣフィルタ２０が実装される回路基板１には、接地用電極パターン５ａ，５ｂを形成することが不可欠となる。このため、回路基板１の配線の自由度が制限されるという問題点がある。
【００１５】
すなわち、高密度実装を行う回路基板においては、複数の信号配線が形成されるが、部品レイアウトによってはこれらの信号配線と共に十分な線幅の接地用電極パターンを形成することが困難な場合がある。そのため、接地用電極パターンに寄生するインダクタンスの影響によりＬＣフィルタの周波数特性が変化してノイズを十分に除去できなくなるという問題点がある。
【００１６】
このような不都合を回避するため、従来技術では、図１５および図１６に示すような構成を有する回路基板１上にＬＣフィルタ２０を実装することも考えられるが、図１５および図１６に示すような構成の回路基板１上にＬＣフィルタ２０を実装した場合においても、機器内部の別の回路で発生したノイズが回り込み、接地用電極パターン５ａ，５ｂのノイズレベルが高くなった場合には、ＬＣフィルタ２０の減衰効果が不十分になったり、逆に接地用電極パターン５ａ，５ｂから信号配線２にノイズが逆流したりするというような不都合を生じる。しかも、回路基板１の内部に大面積の接地用電極パターン５ａを形成したり、スルーホール６を形成したりすることは回路基板１の構成の複雑化やコストの増大を招くという問題点がある。
【特許文献１】特開２００２−１００９４７号公報
【発明の開示】
【発明が解決しようとする課題】
【００１７】
本願発明は、上記の問題点を解決するためになされたものであり、フィルタ素子を接地する必要がなく、しかも、急峻なカットオフ特性をもち、かつ広帯域にわたって大きなノイズ除去効果を得ることが可能なノイズ除去方法およびノイズ除去回路を提供することを課題とする。
【課題を解決するための手段】
【００１８】
上記課題を解決するために、本願発明（請求項１）のノイズ除去方法は、
回路基板上に形成された複数の信号配線を流れるノイズを除去するためのノイズ除去方法であって、
前記回路基板上に、大地に対して非接続の状態で還流用電極パターンを形成するとともに、
前記信号配線ごとに、その入力側と出力側とにそれぞれインダクタを接続し、
前記両インダクタの間にコンデンサの一方の電極を接続し、かつ、該コンデンサの他方の電極を前記還流用電極パターンに共通に接続することにより、
一つの信号配線に流れるノイズ電流を前記コンデンサおよび還流用電極パターンを介して他の信号配線に還流させてノイズを除去すること
を特徴としている。
【００１９】
また、本願発明（請求項２）のノイズ除去回路は、
回路基板上に形成された複数の信号配線を流れるノイズを除去するためのノイズ除去回路であって、
前記回路基板に、大地に対して非接続の状態で還流用電極パターンが形成されており、
前記信号配線ごとに、その入力側と出力側とにそれぞれインダクタが接続されているとともに、
前記両インダクタの間にコンデンサの一方の電極が接続され、かつ、該コンデンサの他方の電極が前記還流用電極パターンに共通に接続されていること
を特徴としている。
【００２０】
また、請求項３のノイズ除去回路は、請求項２記載の発明の構成において、前記信号配線の入力側と出力側とに配設された前記インダクタと、前記コンデンサとが、誘電体内に一体的に配設されたＴ型ＬＣフィルタを構成していることを特徴としている。
【００２１】
また、請求項４のノイズ除去回路は、請求項３記載の発明の構成において、前記Ｔ型ＬＣフィルタが、各信号配線間にわたって一体化されたアレイタイプのフィルタとして構成されていることを特徴としている。
【００２２】
また、請求項５記載のノイズ除去回路は、請求項２記載の発明の構成において、前記インダクタが、前記各信号配線間にわたって一体化されたアレイタイプのチョークコイルとして構成され、前記コンデンサが、前記複数の信号配線間にわたって一体化されたアレイタイプのコンデンサとして構成されていることを特徴としている。
【発明の効果】
【００２３】
本願請求項１のノイズ除去方法および請求項２のノイズ除去回路においては、回路基板上に、大地に対して非接続の状態で還流用電極パターンを形成し、信号配線ごとに、その入力側と出力側とにそれぞれインダクタを接続するとともに、両インダクタの間にコンデンサの一方の電極を接続し、かつ、該コンデンサの他方の電極を還流用電極パターンに共通に接続するようにしているので、一つの信号配線に流れるノイズ電流をコンデンサおよび還流用電極パターンを介して他の信号配線に還流させて、８００ＭＨｚ〜２ＧＨｚ程度の広い帯域にわたってノイズを効率よく除去することが可能になる。
したがって、本願発明のノイズ除去方法（およびノイズ除去回路）を用いることにより、例えば携帯電話のノイズ対策を有効に行うことが可能になる。また、急峻なカットオフ特性をもつため、信号波形に及ぼす影響を小さく抑えることが可能になる。
しかも、回路基板には接地用電極パターンを形成する必要がないため、回路基板の配線の自由度を向上させることが可能になるとともに、回路基板の内部に大面積の接地用電極パターンを形成することが不要になるため、回路基板のコストダウンを図ることが可能になる。
さらに、従来は、接地用電極パターンのノイズレベルが高い場合には、機器内の別の回路で発生したノイズが回り込むことにより、ＬＣフィルタの減衰効果が不十分になったり、逆に、接地用電極パターンから信号配線にノイズが逆流したりするという危険性があるが、本願発明のノイズ除去方法（およびノイズ除去回路）では、コンデンサは接地されていないため、そのような危険性も確実に回避することができる。
【００２４】
また、請求項３のノイズ除去回路のように、信号配線の入力側と出力側とに配設されたインダクタと、コンデンサとが、誘電体内に一体的に配設されたＴ型ＬＣフィルタを構成するようにした場合、信号配線ごとに一対のインダクタ部品とコンデンサ部品をそれぞれ個別に実装する場合に比べて、部品点数を大幅に削減することが可能になり、実装工程を簡略化することが可能になるとともに、回路基板上の実装スペースを削減することが可能になる。
【００２５】
また、請求項４のノイズ除去回路のように、Ｔ型ＬＣフィルタを各信号配線間にわたって一体化されたアレイタイプのフィルタとして構成した場合、例えば、上記請求項３のノイズ除去回路の場合のように、信号配線ごとにＴ型ＬＣフィルタを実装する場合に比べて、さらに部品点数を削減することが可能になる。そのため、信号配線の数が多い程、実装工程の簡略化を図ることが可能になるとともに、回路基板上の実装スペースを削減することが可能になる。
【００２６】
また、請求項５のノイズ除去回路のように、インダクタを各信号配線間にわたって一体化されたアレイタイプのチョークコイルとし、コンデンサを各信号配線間にわたって一体化されたアレイタイプのコンデンサとしてそれぞれ構成するようにした場合、信号配線ごとにインダクタ部品とコンデンサ部品をそれぞれ個別に実装する場合に比較して、部品点数を削減することが可能になり、実装工程の簡略化を図ることが可能になるとともに、回路基板上の実装スペースの削減を図ることが可能になる。
【発明を実施するための最良の形態】
【００２７】
以下、本願発明の実施例を示して、その特徴とするところをさらに詳しく説明する。
【実施例１】
【００２８】
図１は本願発明の一実施例（実施例１）にかかるノイズ除去回路の平面図、図２は図１のＡ−Ａ線に沿う断面図、図３はこの実施例１のノイズ除去回路の等価回路図である。
【００２９】
この実施例１においては、回路基板１上に４本の信号配線２が設けられている。そして、各信号配線２の一部を構成する左右の電極パターン３ａ，３ｂどうしが所定の間隔をおいて配設されているとともに、各信号配線２と直交するように還流用電極パターン７が配設されている。この還流用電極パターン７は、各信号配線２の左右の電極パターン３ａ，３ｂと接触しないように電極パターン３ａ，３ｂの隙間を通過し、かつ、大地に対して非接続の状態となるように配設されている。
【００３０】
また、信号配線２ごとにＬＣフィルタ（Ｔ型ＬＣフィルタ）２０が実装されている。各ＬＣフィルタ２０は、図１３に示した従来のものと同じ構成であって、誘電体２０ａの左右端に形成されている信号入出力用の外部電極２０ｂ，２０ｃが、各信号配線２の左右の電極パターン３ａ，３ｂ間を跨ぐように配置接続され、また、誘電体２０ａの中央両側において、従来は接地用として形成されている外部電極２０ｄが還流用電極パターン７に共通に接続されている。
【００３１】
したがって、図１および図２に示したノイズ除去回路は、図３に示すような等価回路となる。すなわち、このノイズ除去回路においては、それぞれの信号配線２ごとに、その入力側と出力側に、それぞれインダクタＬが接続されているとともに、両インダクタＬの間にコンデンサＣの一方の電極が接続され、このコンデンサＣの他方の電極が還流用電極パターン７に共通に接続されている。すなわち、各コンデンサＣの他方の電極は従来のように接地されておらず、その代わりに還流用電極パターン７に共通に接続されている。
【００３２】
この構成のノイズ除去回路においては、各信号配線２に実装されたＬＣフィルタ２０を構成するコンデンサＣの他方の電極を還流用電極パターン７に共通に接続することで、一つの信号配線２に流れるノイズはＬＣフィルタ２０のコンデンサＣおよび還流用電極パターン７を介して他の信号配線２に還流され、かつ、各インダクタＬの損失によってノイズが大幅に低減される。
【００３３】
これにより、例えば携帯電話の数十ＭＨｚの信号を通過させるとともに、８００ＭＨｚ〜２ＧＨｚ程度の広い帯域におけるノイズの除去を有効に行うことができる。また、急峻なカットオフ特性をもつため、信号波形に及ぼす影響を小さく抑えることができる。しかも、回路基板１には接地用電極パターン５ａ，５ｂ（図１６参照）を形成する必要がないため、回路基板１の配線の自由度が確保されるとともに、スルーホール６（図１５，図１６参照）を介して上下の接地用電極パターン５ａ，５ｂ（図１６参照）間を接続する必要がないため、回路基板１のコストダウンを図ることが可能になる。
【００３４】
さらに、コンデンサＣは接地されていないため、従来のように、接地用電極パターン５ａ，５ｂ（図１６参照）のノイズレベルが高い場合にＬＣフィルタ２０の減衰効果が不十分になったり、接地用電極パターン５ａ，５ｂ（図１６参照）から信号配線２にノイズが逆流したりすることを確実に回避することができる。
【００３５】
この実施例１のノイズ除去回路について、ノイズ除去効果を調べるために、以下の２つの評価実験を行った。
【００３６】
［評価実験１］
図１〜図３に示すノイズ除去回路について、４本の信号配線２のうち、１本の信号配線２についての挿入損失（ＩＬ）の周波数依存特性（以下、ＩＬ特性という）を調べた。この場合、クロストークの影響によりＩＬ特性に差が生じることを防止するため、残り３本分の信号配線２については、その左右端を５０Ωで終端して測定を行った。その際、特性比較のために、ＬＣフィルタ２０の外部電極２０ｄを電気的に切り離している場合（すなわち、コンデンサＣを還流用電極パターン７に接続せず、かつ接地もしない場合）、および、外部電極２０ｄを接地した図１５の従来構成のノイズ除去回路について、それぞれ１本の信号配線２についてのＩＬ特性を調べた。その結果を図４に示す。
【００３７】
図４に示すように、各信号配線２に実装されたＬＣフィルタ２０を構成するコンデンサＣの電極を接地することなく、還流用電極パターン７に共通に接続した構成とすることにより、急峻なカットオフ特性を有し、かつ、広帯域でノイズ減衰作用を奏することが確認された。また、携帯電話のノイズ対策として必要な８００ＭＨｚ〜２ＧＨｚ程度の広い帯域で約３０ｄＢの減衰が得られることが確認された。
一方、コンデンサＣを還流用電極パターン７に接続せず、かつ接地もしない場合には、インダクタＬの特性のみとなるので、高減衰の得られる周波数範囲は狭くなる。
【００３８】
［評価実験２］
信号配線２の本数によるＩＬ特性の変化を調べるために、回路基板に１本〜４本までの信号配線２をそれぞれ形成した場合の各ＩＬ特性を測定した。その結果を図５に示す。
なお、複数の信号配線２を形成している場合には、クロストークの影響によりＩＬ特性に差が生じることを防止するため、１つの信号配線についてのＩＬ特性のみを調べ、残りの信号配線については各左右端を５０Ωで終端して測定を行った。
【００３９】
図５に示すように、信号配線２の本数を多くすることにより、大きな減衰量を確保できることが確認された。特に、携帯電話のノイズ対策として必要な８００ＭＨｚ〜２ＧＨｚ程度の広い帯域で約３０ｄＢの減衰を確保するには４本以上の信号配線２が必要となることが確認された。
【実施例２】
【００４０】
図６は本願発明の他の実施例（実施例２）にかかるノイズ除去回路を示す平面図、図７は図６のＢ−Ｂ線に沿う断面図である。
【００４１】
上記の実施例１では、Ｔ型ＬＣフィルタ２０を各信号配線２ごとに実装しているが、この実施例２のノイズ除去回路では、信号配線２ごとに、一対のチョークコイル１０と単一の貫通コンデンサ３０とを実装している。
【００４２】
すなわち、この実施例２においては、回路基板１上に４本の信号配線２が設けられている。そして、各信号配線２に対応して４つの電極パターン３ａ、３ｂ，３ｃ，３ｄが所定の間隔をおいて順次配設されるとともに、各信号配線２と直交するように還流用電極パターン７が配設されている。この還流用電極パターン７は、中央左右の電極パターン３ｃ，３ｄとは電気的に分離されるように、電極パターン３ｃ，３ｄの隙間を通り、かつ、大地に対して非接続となるように配設されている。
【００４３】
そして、貫通コンデンサ３０は、誘電体３０ａの左右端に形成されている信号入出力用の外部電極３０ｂ，３０ｃが各信号配線２の電極パターン３ｃ，３ｄ間に接続され、また、誘電体３０ａの中央両側において従来は接地用として形成されている外部電極３０ｄが還流用電極パターン７に共通に接続されている。
また、一対のチョークコイル１０は、図１０に示したものと同じ構成であって、図６，図７に示すように、各信号配線２において、貫通コンデンサ３０の両側、すなわち、貫通コンデンサ３０の入力側と出力側において、誘電体１０ａの左右端に形成されている外部電極１０ｂ，１０ｃが各信号配線２の左右の電極パターン３ａ，３ｃ、および３ｄ，３ｂ間をそれぞれ跨ぐように配置接続されている。
【００４４】
したがって、この実施例２のノイズ除去回路においても、図３に示した実施例１のノイズ除去回路と同じ等価回路になるので、実施例１のノイズ除去回路の場合と同様のノイズ低減効果を得ることができる。
【００４５】
なお、この実施例２では、コンデンサとして貫通コンデンサ３０を使用しているが、貫通タイプでないものを使用することも可能である。
【実施例３】
【００４６】
図８は本願発明のさらに他の実施例（実施例３）にかかるノイズ除去回路を示す平面図である。
この実施例３のノイズ除去回路では、回路基板１上に８本の信号配線２が設けられており、４本の信号配線２ごとにノイズ除去回路が設けられている。
【００４７】
この場合のノイズ除去回路は、４本の信号配線２間にわたって一体化されたアレイタイプのチョークコイル１１と、４本の信号配線２間にわたって一体化されたアレイタイプの貫通コンデンサ３１とを備えている。そして、貫通コンデンサ３１の左右にそれぞれチョークコイル１１が配置されており、上下の各貫通コンデンサ３１の中央両側面において、従来は接地用として形成されている外部電極３１ｄが還流用電極パターン７に共通に接続されている。
【００４８】
したがって、この実施例３のノイズ除去回路においても、図３に示した実施例１のノイズ除去回路と同じ等価回路になるので、実施例１および２のノイズ除去回路の場合と同様のノイズ低減効果を得ることができる。しかも、この実施例３のノイズ除去回路では、図６および図７に示した上記実施例２の場合のように、各信号配線２のそれぞれにチョークコイル１０と貫通コンデンサ３０とを個別に実装する場合と比較して、部品点数を削減することが可能になる。そのため、回路基板１上への実装工程を簡略化することが可能になるとともに、実装スペースを削減することが可能になる。
【実施例４】
【００４９】
図９は本願発明のさらに他の実施例（実施例４）にかかるノイズ除去回路を示す平面図である。
この実施例４のノイズ除去回路では、回路基板１上に８本の信号配線２が設けられており、４本の信号配線２ごとにノイズ除去回路が設けられている。
【００５０】
この場合のノイズ除去回路は、４本の信号配線２間にわたって一体化されたアレイタイプのＬＣフィルタ（Ｔ型ＬＣフィルタ）２１として構成されている。そして、上下の各Ｔ型ＬＣフィルタ２１の中央両側面において、従来は接地用として形成されている外部電極２１ｄが還流用電極パターン７に共通に接続されている。
【００５１】
したがって、この実施例４のノイズ除去回路においても、図３に示した実施例１のノイズ除去回路と同じ等価回路になるので、実施例１〜３のノイズ除去回路の場合と同様のノイズ低減効果を得ることができる。
しかも、この実施例４の除去回路では、図１および図２に示した実施例１の場合のように各信号配線２のそれぞれにＬＣフィルタ２０を実装する場合と比較して、部品点数を削減することが可能になる。そのため、回路基板１上への実装工程を簡略化することが可能になるとともに、実装スペースを削減することが可能になる。
【００５２】
なお、上記の実施例１，２では、回路基板１上に４本の信号配線２が配設されている場合、また、実施例３，４では、回路基板１上に８本の信号配線２がそれぞれ配設されている場合を例にとって説明したが、本願発明において、信号配線の本数に特別の制約はなく、回路基板１上に信号配線２が２本以上配設されているものに広く適用することが可能である。
【産業上の利用可能性】
【００５３】
本願発明のノイズ除去回路は、回路基板上に、大地に対して非接続の状態で還流用電極パターンを形成し、信号配線ごとに、その入力側と出力側とにそれぞれインダクタを接続するとともに、両インダクタの間にコンデンサの一方の電極を接続し、かつ、該コンデンサの他方の電極を還流用電極パターンに共通に接続するようにしているので、例えば、８００ＭＨｚ〜２ＧＨｚ程度の広い帯域にわたってノイズを有効に除去することが可能になる。
したがって、本願発明は、例えば携帯電話のノイズ除去などの用途に好適に用いることが可能であり、さらに、携帯電話のノイズ除去以外の、他の高周波回路のノイズ除去を行う際にも利用することが可能である。
【図面の簡単な説明】
【００５４】
【図１】本願発明の一実施例（実施例１）にかかるノイズ除去回路を示す平面図である。
【図２】図１のＡ−Ａ線に沿う断面図である。
【図３】図１のノイズ除去回路の等価回路図である。
【図４】本願発明の実施例１にかかるノイズ除去回路について、１つの信号配線についての挿入損失の周波数依存特性を調べた結果を示す特性図である。
【図５】本願発明の実施例１にかかるノイズ除去回路について、信号配線の本数による挿入損失の周波数依存特性を調べた結果を示す特性図である。
【図６】本願発明の他の実施例（実施例２）にかかるノイズ除去回路を示す平面図である。
【図７】図６のＢ−Ｂ線に沿う断面図である。
【図８】本願発明のさらに他の実施例（実施例３）にかかるノイズ除去回路を示す平面図である。
【図９】本願発明のさらに他の実施例（実施例４）にかかるノイズ除去回路を示す平面図である。
【図１０】チョークコイルを示す斜視図である。
【図１１】回路基板に形成されている各信号配線にチョークコイルを実装した状態を示す平面図である。
【図１２】図１１のＣ−Ｃ線に沿う断面図である。
【図１３】３端子型のＬＣフィルタを示す斜視図である。
【図１４】図１３に示すＬＣフィルタの等価回路図である。
【図１５】図１３に示すＬＣフィルタを、回路基板に形成されている各信号配線に実装した状態を示す平面図である。
【図１６】図１５のＤ−Ｄ線に沿う断面図である。
【符号の説明】
【００５５】
１          回路基板
２          信号配線
３ａ，３ｂ，３ｃ，３ｄ    電極パターン
７          還流用電極パターン
１０        チョークコイル
１０ａ      誘電体
１０ｂ，１０ｃ            外部電極
１１        アレイタイプのチョークコイル
２０        ＬＣフィルタ（Ｔ型ＬＣフィルタ）
２０ａ      誘電体
２０ｂ，２０ｃ，２０ｄ    外部電極
２１        アレイタイプのＴ型ＬＣフィルタ
２１ｄ      外部電極
３０        貫通コンデンサ
３０ａ      誘電体
３０ｂ，３０ｃ，３０ｄ    外部電極
３１        アレイタイプの貫通コンデンサ
３１ｄ      外部電極
Ｌ          インダクタ
Ｃ          コンデンサ
【図１】
2006025144.tif 000003
【図２】
2006025144.tif 000004
【図３】
2006025144.tif 000005
【図４】
2006025144.tif 000006
【図５】
2006025144.tif 000007
【図６】
2006025144.tif 000008
【図７】
2006025144.tif 000009
【図８】
2006025144.tif 000010
【図９】
2006025144.tif 000011
【図１０】
2006025144.tif 000012
【図１１】
2006025144.tif 000013
【図１２】
2006025144.tif 000014
【図１３】
2006025144.tif 000015
【図１４】
2006025144.tif 000016
【図１５】
2006025144.tif 000017
【図１６】
2006025144.tif 000018